(57)【要約】  光ディスクの隣接する３つのグルーブ又は隣接する３つのランドの何れかに、パラメータ調整用のランダムデータを記録する高密度ランド・グルーブ記録方法を提供する。記録されたデータを再生し、その再生データのＰＲＳＮＲに基づいて、まずラジアルチルトを調整し、次いで、フォーカスオフセット、記録パワ、トラックオフセットの順に順次にパラメータを調整する。最初に、記録パワを調整してもよい。【特許請求の範囲】
【請求項１】
光スポットを案内するランド・グルーブ構造を有し、該ランド・グルーブ構造のランドとグルーブの双方にデータ情報を記録することが可能な情報記録媒体に対する記録／再生条件を規定するパラメータを調整する方法であって、
隣接する３つ以上のランド（Ｌ）、又は、隣接する３つ以上のグルーブ（Ｇ）の何れかに、所定のデータを試し書き記録する第１ステップと、
前記第１ステップによって試し書き記録されたデータの再生信号に基づいてラジアルチルトを調整する第２ステップとを有することを特徴とするパラメータ調整方法。
【請求項２】
請求項１に記載のパラメータ調整方法において、前記第１ステップでは、隣接するトラックに既にデータが記録されているトラックに試し書き記録を行い、前記第２ステップでは、前記隣接するトラックに前記データが記録されている状態で前記試し書き記録されたデータを再生することを特徴とするパラメータ調整方法。
【請求項３】
請求項１に記載のパラメータ調整方法において、前記第２ステップが、ラジアルチルトを変化させながら信号品質を測定するステップと、該測定するステップで得られたラジアルチルトと信号品質との関係を用いてラジアルチルトを選択するステップとを有することを特徴とするパラメータ調整方法。
【請求項４】
請求項１に記載のパラメータ調整方法において、前記信号品質としてPartial Response Maximum Likelihoodにおける信号対雑音比（ＰＲＳＮＲ）を用いることを特徴とするパラメータ調整方法。
【請求項５】
請求項１に記載のパラメータ調整方法において、前記第２ステップに後続して、フォーカスオフセットを調整する第３ステップを更に有することを特徴とするパラメータ調整方法。
【請求項６】
請求項５に記載のパラメータ調整方法において、前記第３ステップに後続して、データ情報記録に使用する記録パワを調整する第４ステップを更に有することを特徴とするパラメータ調整方法。
【請求項７】
請求項６に記載のパラメータ調整方法において、前記第４ステップに後続して、トラックオフセットを調整する第５ステップを更に有することを特徴とするパラメータ調整方法。
【請求項８】
光スポットを案内するランド・グルーブ構造を有し、該ランド・グルーブ構造のランドとグルーブの何れかにデータ情報を記録することが可能な情報記録媒体に対する記録／再生条件を規定するパラメータを調整する方法であって、
隣接する３つ以上のトラックに所定のデータを試し書き記録する第１ステップと、
前記第１ステップで記録されたデータの再生信号に基づいてラジアルチルトを調整する第２ステップと、
前記第１ステップで記録されたデータの再生信号に基づいてフォーカスオフセットを調整する第３ステップとを順次に有することを特徴とするパラメータ調整方法。
【請求項９】
請求項８に記載のパラメータ調整方法において、前記第１ステップでは、隣接するトラックにデータが記録されているトラックに試し書き記録を行い、前記第２ステップでは、前記隣接するトラックに前記データが記録されている状態で前記試し書き記録されたデータを再生することを特徴とするパラメータ調整方法。
【請求項１０】
請求項８に記載のパラメータ調整方法において、前記第２ステップが、ラジアルチルトを変化させながら信号品質を測定するステップと、該測定するステップで得られたラジアルチルトと信号品質との関係を用いてラジアルチルトを選択するステップとを有することを特徴とするパラメータ調整方法。
【請求項１１】
請求項８に記載のパラメータ調整方法において、前記第２ステップでは、PARTIAL RESPONSE MAXIMUM LIKELIHOODにおける信号対雑音比（ＰＲＳＮＲ）を用いることを特徴とするパラメータ調整方法。
【請求項１２】
請求項１１に記載のパラメータ調整方法において、前記第３ステップに後続して、データ情報記録に使用する記録パワを調整する第４ステップを更に有することを特徴とするパラメータ調整方法。
【請求項１３】
請求項１２に記載のパラメータ調整方法において、前記第４ステップに後続して、トラックオフセットを調整する第５ステップを更に有することを特徴とするパラメータ調整方法。
【請求項１４】
情報記録媒体にデータ情報を記録／再生する条件を規定するパラメータを調整する方法であって、
ラジアルチルトを調整する第１ステップと、フォーカスオフセットを調整する第２ステップとを順次に有することを特徴とするパラメータ調整方法。
【請求項１５】
請求項１４に記載のパラメータ調整方法において、前記第２ステップに後続して、フォーカスオフセットを調整する第３ステップを更に有することを特徴とするパラメータ調整方法。
【請求項１６】
請求項１５に記載のパラメータ調整方法において、前記第３ステップに後続して、データ情報を記録する記録パワを調整する第４ステップを更に有することを特徴とするパラメータ調整方法。
【請求項１７】
請求項１６に記載のパラメータ調整方法において、前記第４ステップに後続して、トラックオフセットを調整する第５ステップを更に有することを特徴とするパラメータ調整方法。
【請求項１８】
請求項１に記載のパラメータ調整方法を実施することを特徴とする情報記録／再生装置。
【請求項１９】
請求項８に記載のパラメータ調整方法を実施することを特徴とする情報記録／再生装置。
【請求項２０】
請求項１４に記載のパラメータ調整方法を実施することを特徴とする情報記録／再生装置。
【発明の詳細な説明】
【技術分野】
【０００１】
本発明は、高密度光ディスク上でデータを記録／再生する情報記録／再生装置、及び、情報の記録再生に使用するパラメータの調整方法に関する。
【背景技術】
【０００２】
光ディスク装置は、光ヘッドを用いて、光ディスクに情報を記録したり、記録された情報を読み出したりする装置である。光ディスク装置では、記録／再生（記録及び／又は再生）時に光ディスク装置の性能そのものを左右する記録／再生条件を規定する幾つかのパラメータが存在する。現在の光ディスク装置で調整される可能性があるパラメータとしては、光ディスクと光ヘッドとの傾き角を表すチルト、光スポットの焦点のずれを表すフォーカスオフセット、光スポットが走査すべきトラックの中心からのずれを表すトラックオフセット、及び、データ情報を記録する際に使用する最適記録パワなどがある。チルトには、光ディスクの記録面に垂直な方向からの光ヘッドの半径方向への傾きを意味するラジアルチルトと、光ディスクの記録面に垂直な方向からの光ヘッドのトラック方向（半径方向と垂直な方向）への傾きを意味するタンジェンシャルチルトとがある。【０００３】
上記パラメータの調整方法としては、特開平８−４５０８１号公報に記載の技術が知られている。この技術は、各パラメータの調整に様々なタイプの記録形態を利用することが特徴であり、隣接する３つのトラックにランダムデータを記録する３トラック記録方式を採用している。この技術では、パラメータ調整用の記録信号は予め光ディスク上に記録されていることが前提となっている。また、記録パワの調整方法としては、例えば特開２００２−１６３８２５号公報に記載の技術が知られている。この技術では、記録条件を変えて試し書きエリアに所定のデータを記録し、その再生信号から最適な記録パワを求めている。【０００４】
近年開発が進められている光ディスク（例えばＨＤ  ＤＶＤ−ＲＷなど）には、予め調整用の信号が記録されていないものも多い。このような光ディスクでは、ユーザー側で調整用の信号を試し書きする必要がある。しかし、昨今の光ディスクの高密度化に伴い、調整すべきパラメータが調整されていない初期状態で記録を行うと、隣接トラックの記録データを消去してしまうクロスイレーズなどの不具合が起こり、特開平８−４５０８１号公報に記載されたようなパラメータ調整用の３トラック記録をそもそも作成できないという問題が生じている。【０００５】
従って、光ディスク上にパラメータ調整用の信号が記録されていない場合には、どのようにパラメータを調整すればよいかが、光ディスクの大きな課題となっている。また、このような調整用の記録信号があった場合でも、どのパラメータから調整すべきかが判らず大きな課題となっている。
【発明の開示】
【０００６】
従って、本発明の目的は、上記従来技術の問題点を解決する情報記録／再生装置及びパラメータ調整方法を提供することにある。
【０００７】
本発明は、その第１の視点において、光スポットを案内するランド・グルーブ構造を有し、該ランド・グルーブ構造のランドとグルーブの双方にデータ情報を記録することが可能な情報記録媒体に対する記録／再生条件を規定するパラメータを調整する方法であって、
隣接する３つ以上のランド、又は、隣接する３つ以上のグルーブの何れかに、所定のデータを試し書き記録する第１ステップと、
前記第１ステップによって試し書き記録されたデータの再生信号に基づいてラジアルチルトを調整する第２ステップとを有することを特徴とする係るパラメータ調整方法を提供する。
【０００８】
本発明は、その第２の視点において、光スポットを案内するランド・グルーブ構造を有し、該ランド・グルーブ構造のランドとグルーブの何れかにデータ情報を記録することが可能な情報記録媒体に対する記録／再生条件を規定するパラメータを調整する方法であって、
隣接する３つ以上のトラックに所定のデータを試し書き記録する第１ステップと、
前記第１ステップで記録されたデータの再生信号に基づいてラジアルチルトを調整する第２ステップと、
前記第１ステップで記録されたデータの再生信号に基づいてフォーカスオフセットを調整する第３ステップとを順次に有することを特徴とするパラメータ調整方法を提供する。
【０００９】
本発明は、その第３の視点において、情報記録媒体にデータ情報を記録／再生する条件を規定するパラメータを調整する方法であって、
ラジアルチルトを調整する第１ステップと、該第１ステップに後続してフォーカスオフセットを調整する第２ステップとを順次に有することを特徴とするパラメータ調整方法を提供する。
【００１０】
本発明は、その第４の視点において、上記本発明のパラメータ調整方法を実施する情報記録／再生装置を提供する。
【００１１】
本発明の第１の視点に係るパラメータ調整方法によると、ランド・グルーブ記録を採用する光ディスクの隣接する３つのランド、又は、隣接する３つのグルーブの何れかから成る３つのトラックに、所定のデータを試し書きする構成を採用することにより、その再生信号を用いて行うラジアルチルトの調整に際して、再生信号に生ずるクロストークが低減できるので、精度が高いラジアルチルトの調整が可能になる。なお、所定のデータは、予め定められたデータであっても、或いは、ランダムに生成されたデータであってもよい。
【００１２】
本発明の第２及び第３の視点に係るパラメータ調整方法によると、ラジアルチルトの調整とフォーカスオフセットの調整を順次に行う構成を採用するので、得られるパラメータの精度が高い調整が可能になる。
【００１３】
本発明の第１の視点に係るパラメータ調整方法では、前記第１ステップでは、隣接するトラックに既にデータが記録されているトラックに試し書き記録を行い、前記第２ステップでは、前記隣接するトラックに前記データが記録されている状態で前記試し書き記録されたデータを再生することが好ましい。
【００１４】
また、前記第２ステップが、ラジアルチルトを変化させながら信号品質を測定するステップと、該測定するステップで得られたラジアルチルトと信号品質との関係を用いてラジアルチルトを選択するステップとを有することも好ましい態様である。
前記信号品質としてPARTIAL RESPONSE MAXIMUM LIKELIHOODにおける信号対雑音比（ＰＲＳＮＲ）を使用することも好ましい。
前記第２ステップに後続して、フォーカスオフセットを調整する第３ステップを更に有することも好ましい。
前記第３ステップに後続して、データ情報記録に使用する記録パワを調整する第４ステップを更に有することも好ましい。
トラックオフセットを調整する第５ステップを更に有することも好ましい。
【００１５】
本発明の第２の視点に係るパラメータ調整方法では、前記第１ステップでは、隣接するトラックにデータが記録されているトラックに試し書き記録を行い、前記第２ステップでは、前記隣接するトラックに前記データが記録されている状態で前記試し書き記録されたデータを再生することが好ましい。
【００１６】
また、前記第２ステップが、ラジアルチルトを変化させながら信号品質を測定するステップと、該測定するステップで得られたラジアルチルトと信号品質との関係を用いてラジアルチルトを調整するステップとを有することも好ましい。
前記第２ステップでは、ＰＲＳＮＲを使用することも好ましい。
前記第３ステップに後続して、データ情報記録に使用する記録パワを調整する第４ステップを更に有することも好ましい。
前記第４ステップに後続して、トラックオフセットを調整する第５ステップを更に有することも好ましい。
【００１７】
本発明の第３の視点に係るパラメータ調整方法では、前記第２ステップに後続して、フォーカスオフセットを調整する第３ステップ、次いで、データ情報を記録する記録パワを調整する第４ステップ、次いで、トラックオフセットを調整する第５ステップを有することも好ましい。
【図面の簡単な説明】
【００１８】
【図１】は、本発明の一実施形態に係る情報記録／再生装置のブロック図である。
【図２】は、５トラック記録状態を示す図である。
【図３】は、ラジアルチルトが最適位置からずれた場合とずれていない場合とにおける５トラック記録状態のPARTIAL RESPONSE MAXIMUM LIKELIHOODにおける信号対雑音比（ＰＲＳＮＲ）を示す表である。
【図４】は、本発明で使用する３トラック記録状態を例示する平面図である。
【図５】は、ラジアルチルトが最適位置からずれた場合とずれていない場合とにおける、本発明で使用する３トラック記録から得られるＰＲＳＮＲを例示する表である。
【図６】は、５トラック記録、本発明で使用する３トラック記録、及び、１トラック記録から得られるＰＲＳＮＲのラジアルチルト依存性を例示するグラフである。
【図７】は、１トラック記録状態を示す平面図である。
【図８】は、最適フォーカスオフセット位置のラジアルチルト依存性を示すグラフである。
【図９】は、最適ラジアルチルト位置のフォーカスオフセット依存性を示すグラフである。
【図１０】は、ラジアルチルトずれがある場合と、フォーカスオフセットずれがある場合と、それぞれが最適位置にある場合とにおける記録パワを示す表である。
【図１１】は、本発明の一実施形態に係るパラメータ調整方法における処理を示すフローチャートである。
【図１２】は、実施例１におけるステップ１の記録パワ調整で得られたＰＲＳＮＲを示すグラフである。
【図１３】は、実施例１におけるステップ３のラジアルチルト調整で得られたＰＲＳＮＲを示すグラフである。
【図１４】は、実施例１におけるステップ４のフォーカスオフセット調整で得られたＰＲＳＮＲを示すグラフである。
【図１５】は、実施例１におけるステップ５のデータ記録用記録パワ調整でえられたＰＲＳＮＲを示すグラフである。
【図１６】は、実施例１におけるステップ６のトラックオフセット調整時に使用するトラック記録方法を示す平面図である。
【図１７】は、実施例１におけるステップ６のトラックオフセット調整で得られたＰＲＳＮＲを示すグラフである。
【図１８】は、実施例１によって得られた学習パラメータと最適位置のパラメータとで記録再生を行った場合に得られたＰＲＳＮＲを相互に比較して示す表である。
【図１９】は、従来のパラメータ調整方法で使用されている３トラック記録による記録状態を示す平面図である。
【図２０】は、図１９のトラック記録状態から得られる、ＰＲＳＮＲ値のラジアルチルト依存性を示すグラフである。
【図２１】は、実施例２によって得られたパ学習ラメータと最適記録位置で記録再生を行った場合に得られたＰＲＳＮＲを相互に比較して示す表である。
【図２２】は、従来の調整方法で得られた学習パラメータと最適記録位置でで記録再生を行った場合に得られたＰＲＳＮＲを総合に比較して示す表である。
【発明を実施するための最良の形態】
【００１９】
本発明の実施形態について説明する前に、本発明の理解を容易にするために、まず、本発明の原理について説明する。【００２０】
光ディスクとしては、ランド・グルーブ構造が光ディスクの片面に形成された光ディスクを想定し、また、データ情報がランド・グルーブ構造の凸部と凹部の双方に記録を行うフォーマットを想定している。光ヘッドは凹凸が形成されたディスク面、あるいはその反対のディスク面に配置する場合があり、前者を膜面入射型、後者を基板面入射型と呼ぶ。当初、膜面入射型が開発されたため、ランド・グルーブ構造のうち、光ヘッド側から見て凹部をグルーブと呼び、凸部をランドと呼んでいた。しかし、昨今の光ディスクは基板面入射型を採用しており、基板面入射型では、このランド・グルーブ構造の凹凸は逆に見える。基板面入射型のディスクでも凹部をグルーブ、凸部をランドと呼ぶべきであるが、ディスク自体の構造に基づいた呼称が用いられており、基板面入射型の場合、凹部をランド、凸部をグルーブと呼んでいる。【００２１】
つまり、本光ディスクでは、光ヘッド側から見て、ランド・グルーブ構造の凹部の部分をランド（Ｌ）、凸部の部分をグルーブ（Ｇ）と呼ぶ。また、ランドとグルーブの双方にデータ情報を記録するフォーマットをランド・グルーブフォーマットと呼び、グルーブのみにデータ情報を記録するフォーマットをイングルーブフォーマットと呼ぶ。ランド・グルーブフォーマットを採用した光ディスク規格としては、ＤＶＤ−ＲＡＭ、ＨＤ  ＤＶＤ−ＲＷなどがある。一方、イングルーブフォーマットを採用した光ディスク規格としては、ＤＶＤ−Ｒ、ＤＶＤ−ＲＷ、ＨＤ  ＤＶＤ−Ｒなどがある。【００２２】
ＨＤ  ＤＶＤ−ＲＷに、図２に示すような５トラック記録を行ったと仮定する。このとき、再生信号から測定されたＰＲＳＮＲ値を、ラジアルチルトが最適位置である場合と、そこから０．２度（deg） ずれた場合とについて実測し、比較した表を図３に示す。ここで、ＰＲＳＮＲとは、ジッタに代わる信号品質評価指標であり、ＨＤ  ＤＶＤファミリーにおいて採用された指標である。ＰＲＭＬ（Partial Response Maximum Likelihood）におけるＳＮＲである。このＰＲＳＮＲ値が高ければ高いほど、信号品質は優れているということができる。ＰＲＳＮＲの詳細は、「Japanese Journal of Applied Physics Vol.43, No.7B, 2004, pp.4859-4862 “Signal-to-Noise Ratio in a PRML Detection” S.OHKUBO et al」に記載されている。【００２３】
図３から理解できるように、ラジアルチルトが０．２degずれた状態で５トラック記録を行うとＰＲＳＮＲが１０以下になってしまう。これは隣接トラックを記録するときに、先に記録された記録信号を消してしまう現象（クロスイレーズ）が起こっているためである。【００２４】
パラメータを調整する場合に、調整に用いる指標はできるだけ良好に記録されたもので行わないと、パラメータの正しい最適位置を検出することはできない。なぜなら、本来良好に記録されたものに対する最適位置を求めなくてはならないからである。また、信号品質が低すぎると、パラメータの変化で劣化する前に既に信号品質が劣化しており、パラメータの変化に対する変化率が少なくなるため、最適位置を求め難くなるからである。【００２５】
ディスクが、最初に光ディスクドライブに挿入された場合、ラジアルチルトが０．２deg程度最適位置からずれていることは往々にして起こるので、このままではパラメータ調整用の信号を形成できない。そこで、本発明者は、図４に示すような３トラック記録を行った。つまり、隣接する３つのグルーブにのみ、又は、隣接する３つのランドにのみ調整用データを記録する３トラック記録である。その３トラック記録について、ラジアルチルトが最適位置である場合と、その最適位置から０．２deg ずれた場合とについて、ＰＲＳＮＲを実測し、相互に比較した表を図５に示した。図５から理解できるように、両者でＰＲＳＮＲは殆ど変わらない。したがって、図４のような３トラック記録を形成すれば、少なくとも良好な記録信号を用いて調整することができることがわかる。【００２６】
一方、通常の記録状態は、図２に示すような５トラック記録状態と見なせるので、図４のような３トラック記録状態から、適正なラジアルチルトが検出できるか否かは不明である。そこで、図２及び図４の双方の記録トラック状態に関して、ＰＲＳＮＲのラジアルチルト依存性を測定した。その結果を図６に示す。図６から、ＰＲＳＮＲが最大値となるラジアルチルト位置（最適ラジアルチルト位置）は、本発明に従う３トラック記録と、通常の記録状態を示す５トラック記録とで殆ど変わらないことが理解できる。つまり、本発明による３トラック記録の状態でラジアルチルトが最適値に調整できる。【００２７】
図６には、比較のため、図７に示すような１トラック記録の場合の結果も示してある。図６から、１トラック記録では、ＰＲＳＮＲのラジアルチルト依存性が少なく、良好な調整は難しいことがわかる。したがって、最初に光ディスクがドライブに挿入された場合には、図４に示すような３トラック記録を行い、ラジアルチルトを調整するのが最適である。なお、図４の例のように、隣接する３つのグルーブのみに記録する３トラック記録に代えて、隣接するランドのみに記録する３トラック記録によっても、ラジアルチルト調整が可能でる。【００２８】
図８に、ラジアルチルトと、フォーカスオフセット最適位置との関係を示す。フォーカスオフセット最適位置は、ラジアルチルトに大きく依存する。図９に、ラジアルチルト最適位置のフォーカスオフセット依存性を示す。ラジアルチルト最適位置は、フォーカスオフセットに殆ど依存しない。以上から、パラメータ調整に際して、ラジアルチルトとフォーカスオフセットとの関係では、まずラジアルチルトを調整し、その後にフォーカスオフセットを調整することが重要であることが理解できる。【００２９】
図１０に、ラジアルチルトのみが０．２degだけ最適位置からずれた場合と、フォーカスオフセットのみが０．２μｍだけ最適位置からずれた場合と、それら双方のパラメータが最適位置にある場合との３通りに関して、最適記録パワを求めた結果を示す。最適記録パワは、それぞれの条件でＰＲＳＮＲが最大となる記録パワとして求めた。図１０から、ラジアルチルトや、フォーカスオフセットが最適位置からずれた場合には、それらが最適位置にある場合に比べて、最適記録パワが大きくなることがわかる。つまり、最適記録パワは、ラジアルチルト及びデフォーカスを調整した後に調整するべきであることがわかる。【００３０】
最後に残されたパラメータは、トラックオフセットであるので、最後にこれを調整すれば、全てのパラメータが調整できる。また、上記の説明では省いたが、タンジェンシャルチルトは、一般的にほぼ合っていることが多いので、ラジアルチルト又はフォーカスオフセット調整の後に調整しても良い。【００３１】
上記調整方法は、ランド・グルーブフォーマットの場合について説明したが、イングルーブフォーマットの場合には、もともと３トラック記録状態になる。そのような場合でも図８〜図１０に示した結果から考えると、ラジアルチルト、フォーカスオフセット、データ情報記録用パワ調整、トラックオフセットの順序で調整するのがよいと考えられる。【００３２】
なお、光ディスクが光ディスクドライブに最初に挿入された際には、試し書きに使用する記録パワも適正ではない可能性があるので、ラジアルチルト調整前やデフォーカス調整前に簡単に調整する処理を挿入しても良い。しかしながら、データ情報用の記録パワ（本番の記録パワ）は、最終的には、ラジアルチルト、フォーカスオフセットを調整した後に行う。【００３３】
なお、上記ではＰＲＳＮＲを測定したパラメータ調整について説明したが、これに限らず、ジッタなどを測定してもよい。ＰＲＳＮＲとジッタとは相関が高いので、ジッタを用いても同様な効果が得られる。【００３４】
以下、本発明の実施の形態を、図面を参照しながら詳細に説明する。図１に、本発明の一実施形態に係る情報記録／再生装置のブロック図を示す。この情報記録／再生装置１０は、光ディスク３０を駆動するスピンドル駆動系１１、光ディスク３０にレーザ光を照射し、それを検出する光ヘッド１２、入力信号にフィルタリング等の処理を行うＲＦ回路部１３、入力信号を復調する復調器１４、装置全体を統括するシステムコントローラ１５、パラメータの調整を行うパラメータ調整器１６、記録すべき信号を変調する変調器１７、レーザダイオード（ＬＤ）１８、ＬＤ１８を駆動するＬＤ駆動系１９、サーボ信号をコントロールすると共にチルト制御を行うサーボコントローラ２０、及び、ＬＤ１８からの光を対物レンズ２１に向けて反射するとともに光ディスク３０からの反射光を光検出器２３に向けて通過させるビームスプリッタ２２から構成される。パラメータ調整器１６は、本発明に従って各種パラメータの調整を行うために使用される。また、ＰＲＳＮＲの計算は、ＲＦ回路部１３で再生信号から行われる。【００３５】
（実施例１）
本実施例では、光ヘッド１２として、ＬＤ波長４０５ｎｍ、ＮＡ（開口数）０．６５のものを用意した。光ディスク３０としては、直径１２０ｍｍ、０．６ｍｍ厚のポリカーボネイト基板上に、ランド・グルーブフォーマット用のランド・グルーブ構造を設けたものを用意した。記録されるデータの密度としては、ビットピッチが０．１３μｍ、トラックピッチが０．３４μｍを選択した。記録膜には、相変化によって記録を行う相変化記録膜を使用した。書き換えが可能なタイプである。【００３６】
パラメータ調整器１６による処理の流れを図１１に示す。本実施形態におけるパラメータ調整器１６の処理は、記録パワを調整するステップ１、隣接する３つのグルーブ又は隣接する３つのランドにランダムデータを記録する３トラック記録を行うステップ２、ラジアルチルトを調整するステップ３、フォーカスオフセットを調整するステップ４、データ記録用パワを調整するステップ５、及び、トラックオフセットを調整するステップ６から構成される。【００３７】
本実施形態のパラメータ調整方法では、パラメータ調整処理として、ラジアルチルト調整及びフォーカスオフセット調整の前に、記録パワを調整する処理を挿入している。一般に、ラジアルチルトやフォーカスオフセットを調整すると、適正な記録パワが幾らか変化する。従って、常に最良のＰＲＳＮＲで調整を行うためには、これらパラメータの調整のつど記録パワを調整してもよい。予め光ディスクの最適パラメータ時の最適記録パワが予想できる場合には、その最適記録パワよりも高めの記録パワを設定し、設定した記録パワで記録信号を形成し、その再生信号からラジアルチルト、フォーカスオフセットを調整することも可能である。【００３８】
本実施例では、本発明の効果を実証するために、最適パラメータ位置からラジアルチルトを０．２deg、フォーカスオフセットを０．２μｍ、ランドのトラックオフセットを０．０１μｍと、それぞれずらした状態を初期値とし、その初期値から図１１に示した方法でパラメータ調整処理を行った。まず、ステップ１でＰＲＳＮＲを測定しつつ記録パワの調整を行った。図１２に、このときの調整で示されたＰＲＳＮＲの記録パワ依存性を示す。横軸に規格化された記録パワを、縦軸に測定されたＰＲＳＮＲを示す。横軸の“１”は、全てのパラメータが最適位置にあるときの最適記録パワである。ラジアルチルト、フォーカスオフセットが最適位置からずれているので、図１２に示すように、この時点で調整された最適記録パワは、１．２８とやや高めであった。最適記録パワは、各記録パワにおけるＰＲＳＮＲの測定点を２次関数で近似し、そのグラフのピーク位置として得られた。今回使用した光ディスクは、ランドとグルーブの記録感度が殆ど同じなので、どちらかで調整すればよい。【００３９】
上記で得られた最適記録パワを用い、ステップ２で、本発明に従う３トラック記録を行った。記録は、ここではグルーブに行った。その後、ステップ３で、ステップ２にて記録した３つのトラックの内で中央のトラックを選択し、ラジアルチルトを振ってＰＲＳＮＲを測定し、ラジアルチルトを調整した。その結果を図１３に示す。得られた最適チルトは、−０．０４degであった。ラジアルチルトの最適パラメータ位置は０．０degであるので、非常に高い精度で調整が行われていることがわかる。【００４０】
次に、ステップ４で、ステップ３と同様にフォーカスオフセットを調整した。その結果を図１４に示す。得られた最適フォーカスオフセットは−０．０２μｍであった。フォーカスオフセットの最適パラメータ位置は０．０μｍであるので、非常に高い精度で調整が行われていることがわかる。【００４１】
次に、ステップ５で実際にデータ記録を行うべき記録パワの調整を行った。図１５に調整で使用されたＰＲＳＮＲの記録パワ依存性を示す。同図から、最適記録パワは１．０４であることがわかる。全てのパラメータが最適位置にあるときの最適記録パワは１であるので、非常に高い精度で調整が行われていることがわかる。記録パワに関しては本ステップの処理で２回目の調整になるが、これが最終的な調整となり、この記録パワでデータ情報を記録する。【００４２】
次に、ステップ６でトラックオフセットの調整を行った。この調整では、図１６に示したように、隣接するグルーブからなる３トラックの内の中央のグルーブにまず記録をし、その後そのグルーブの両隣のランドに記録を行う。その後中央のグルーブのＰＲＳＮＲ測定を行う。この動作をランドのトラックオフセットを振って行ったところ、図１７に示す結果が得られた。図１７から、ランドの最適なトラックオフセットは−０．００４μｍとなる。ランドのトラックオフセットの最適パラメータ位置は０．０μｍであるので、非常に高い精度で調整が行われていることがわかる。【００４３】
上記実施形態に係る情報記録／再生装置を用いることにより、光ディスク上などに調整用のパラメータが記録されていない場合でも、記録再生に必要なパラメータ全てを良好に調整し、データ情報の記録を行うことができる。【００４４】
実施例１の効果の確認のため、上記調整により得られたパラメータ値で記録を行った場合と、全てのパラメータ値が最適位置にあるときに記録を行った場合とで、ランド及グルーブの双方でＰＲＳＮＲの比較を行った。その結果を図１８に示す。両者は、殆ど同等のＰＲＳＮＲを示しており、本発明の情報記録／再生装置の信頼性が確認された。【００４５】
参考として、上記実施例のようにグルーブのみ又はランドのみに３トラック記録するのではなく、従来方式と同様にランド及びグルーブを含む隣接３トラックにランダム記録を行って図１９に示すような記録を作成し、それに基づいてラジアルチルトを調整した。調整で得られたデータを図２０に示す。同図から理解できるように、ＰＲＳＮＲの値が非常に低く、かつラジアルチルトに対する変化率も少ないため、調整されたラジアルチルトは-0.2degとなり、良好に調整されなかった。また、実施例１で使用した光ディスク及び光ディスクドライブの組合せでは、図１９に示した３トラック記録では、そもそもラジアルチルトに対してＰＲＳＮＲ値が殆ど変化しない。図４に示した３トラック記録でないと、ラジアルチルトによるクロストーク上昇分が少なく、ＰＲＳＮＲが劣化しないからである。従って、図１９に示す従来の記録形態では、良好なラジアルチルトの調整精度が得られない。【００４６】
（実施例２）
実施例１で使用した情報記録／再生装置を用いてイングルーブフォーマットの光ディスクで実施例１と同様な調整を行った。光ヘッドは、ＬＤ波長が４０５ｎｍ、ＮＡが０．６５である。使用した光ディスクとしては、直径１２０ｍｍ、０．６ｍｍ厚のポリカーボネイト基板上に、イングルーブフォーマット用のランド・グルーブ構造を設けたものを用意した。記録されるデータの密度としては、ビットピッチを０．１５３μｍ、トラックピッチを０．４μｍに選択した。記録膜には、変形によって記録を行う有機色素記録膜を使用した。これは、１回だけ記録が可能なタイプである。【００４７】
本実施例でも、図１１に示した調整方法を採用した。実施例１と同様な初期値から調整を行い、得られたパラメータを学習パラメータとし、全てのパラメータが最適位置にあるものを最適パラメータとし、それらパラメータで得られたＰＲＳＮＲを、グルーブのみについて図１８と同様に比較した。その結果を図２１に示す。両者は殆ど同等のＰＲＳＮＲを示しており、本発明の情報記録／再生装置の信頼性が確認された。【００４８】
図１１の調整方法に代え比較例の方法として、図１１におけるラジアルチルト調整とフォーカスオフセット調整の順序を逆にして同様な処理を行った。得られたパラメータで図２１と同様にＰＲＳＮＲを比較した。その結果を図２２に示す。図２１に比べ、調整後のＰＲＳＮＲが低く、調整が十分でないことがわかる。これは図８に示したように、フォーカスオフセット最適位置がラジアルチルトに依存してしまうためであり、順序を逆にした手順では、全てのパラメータを最適値には調整できないことがわかる。本発明の装置及び調整方法の有効性が、これによって確認された。【００４９】
本発明のパラメータ調整方法は、ＬＤ波長が４０５ｎｍ、ＮＡが０．６に限定されることはなく、あらゆる波長及びＮＡに適応可能である。また、上記実施例では、ランドのみ又はグルーブのみに３トラック記録を行った場合に、それらランド間又はそれらグルーブ間には記録信号が存在していないが、ランドのみ又はグルーブのみに３トラック記録を行う前に、それらランド間又はそれらグルーブ間のトラックにすでに記録マークが存在しても構わない。測定に用いるトラックに隣接するトラックよりも後に、測定に用いるトラックに調整用データを記録することが重要である。【００５０】
上記記述では、本発明方法が適用される光ディスクが反射型の光ディスクである例を説明したが、本発明方法は、透過型の光ディスクにも同様に適用可能である。
【産業上の利用可能性】
【００５１】
本発明は、特に高密度光ディスクの記録／再生装置及びパラメータ調整方法として、広く利用することができる。
【図１】
2006126575.tif 000002
【図２】
2006126575.tif 000003
【図３】
2006126575.tif 000004
【図４】
2006126575.tif 000005
【図５】
2006126575.tif 000006
【図６】
2006126575.tif 000007
【図７】
2006126575.tif 000008
【図８】
2006126575.tif 000009
【図９】
2006126575.tif 000010
【図１０】
2006126575.tif 000011
【図１１】
2006126575.tif 000012
【図１２】
2006126575.tif 000013
【図１３】
2006126575.tif 000014
【図１４】
2006126575.tif 000015
【図１５】
2006126575.tif 000016
【図１６】
2006126575.tif 000017
【図１７】
2006126575.tif 000018
【図１８】
2006126575.tif 000019
【図１９】
2006126575.tif 000020
【図２０】
2006126575.tif 000021
【図２１】
2006126575.tif 000022
【図２２】
2006126575.tif 000023
【国際調査報告】
2006126575.tif 000024
2006126575.tif 000025
2006126575.tif 000026
2006126575.tif 000027
2006126575.tif 000028
2006126575.tif 000029